(57)【要約】【課題】  転輪付き鞄を身体の横側部に位置させて曳行者を含めての前後左右の占有面積を少なくした状態で、かつ、軽快に曳行できるようにする。【解決手段】  ケース本体１の長径方向が前後方向に沿う姿勢で曳行されるように、転輪２がケース本体１の長径方向に交差する横軸芯ｘまわりで回動し、ケース姿勢を制御する硬質材からなる取っ手３を、その握り部分３２と転輪の接地点Ｏとを結ぶ線分ｙ１が、ケース本体１の前傾姿勢の前縁と、接地点Ｏとケース本体の重心Ｇとを結ぶ線分ｙ２との角度範囲内で、線分ｙ２寄りに位置し、かつ、自然に垂らした手による握り位置と同程度の高さに基準曳行姿勢での握り部分３２が位置するように設定可能にした。【選択図】    図２
2005279236.tif 000002
【特許請求の範囲】
【請求項１】
ケース本体に曳行用の取っ手と転輪とを備えた転輪付き鞄であって、
前記ケース本体が前傾姿勢でその水平方向断面での長径方向が前後方向に沿う姿勢で曳行されるように、前記転輪を、転動方向がケース本体の長径方向に交差する方向の横軸芯まわりで回動するように設定して前記ケース本体の底部側の前部に設け、
前記取っ手の位置を、曳行されるケース本体に対する側面視で、前記転輪の接地点と取っ手の握り部とを結ぶ線分が、前記ケース本体の前傾姿勢の前縁と、前記転輪の接地点とケース本体の重心相当箇所とを結ぶ線分とで構成される角度範囲内で、前記接地点と重心相当箇所とを結ぶ線分寄りに位置するように設定するとともに、
この取っ手を、ケース本体に対して上下方向、および左右方向での操作力を付与して舵取り操作可能な硬質材で構成し、
前記ケース本体における重心相当箇所が転輪の接地点を通る鉛直線上に位置する基準曳行姿勢で、歩行姿勢の曳行操作者が自然に垂らした手による握り位置と同程度の高さ位置に、曳行姿勢の取っ手の握り部が位置するように、転輪の接地点から取っ手の握り部までの距離を設定可能に構成してある転輪付き鞄。
【請求項２】
縦辺の長さと横辺の長さが奥行き辺の長さよりも長い矩形箱状のケース本体に曳行用の取っ手と転輪とを備えた転輪付き鞄であって、
前記ケース本体に対する曳行方向と転輪の転動方向が、ケース本体の移動方向を前記奥行き辺と交差する方向へ向けるように、前記ケース本体の下部で縦辺と横辺とが交差する角部箇所に転輪を備えるとともに、前記角部に対する対角位置の角部近くに、ケース本体に対して上下方向、および左右方向での操作力を付与して舵取り操作可能な硬質材で構成されている前記取っ手の取付部を設け、
前記転輪の接地点と前記取っ手の握り部とを結ぶ線分と、ケース本体の縦辺と横辺とによる矩形の中心と前記接地点とを結ぶ線分とで成す角度が、曳行時に前傾姿勢となるケース本体の前縁と、前記ケース本体の転輪を設けた角部とこれに対向する角部とを結ぶ対角線とが成す角度よりも小さくなるように、前記取っ手の位置を設定してあり、
前記ケース本体における矩形の中心が転輪の接地点を通る鉛直線上に位置する基準曳行姿勢で、歩行姿勢の曳行操作者が自然に垂らした手による握り位置と同程度の高さ位置に曳行姿勢の取っ手の握り部が位置するように、転輪の接地点から取っ手の握り部までの距離を設定可能に構成してある転輪付き鞄。
【請求項３】
取っ手の握り部は、ケース本体の奥行き方向で曳行操作者に近い側の端部から前記握り部までの距離が、歩行姿勢の曳行操作者が自然に垂らした手による握り位置と曳行操作者の身体側部との間の左右方向距離と同程度以下に設定されている請求項１または２記載の転輪付き鞄。
【請求項４】
縦辺の長さと横辺の長さが奥行き辺の長さよりも長い矩形箱状のケース本体に、手提げ用の提げ手と曳行用の取っ手と転輪とを備えた転輪付き鞄であって、
前記ケース本体に対する曳行方向と転輪の転動方向が、ケース本体の移動方向を前記奥行き辺と交差する方向へ向けるように、前記ケース本体の下部で縦辺と横辺とが交差する角部の近くから下方に延出された起立姿勢と、その起立姿勢位置よりもケース本体側に引退させた格納姿勢とに姿勢切り換え可能な支脚に転輪を備えるとともに、前記角部に対する対角位置の角部近くに、ケース本体に対して上下方向、および左右方向での操作力を付与して舵取り操作可能な硬質材で構成されている前記取っ手の取付部を設け、
前記転輪の接地点と前記取っ手の握り部とを結ぶ線分と、ケース本体の縦辺と横辺とによる矩形の中心と前記接地点とを結ぶ線分とで成す角度が、曳行時に前傾姿勢となるケース本体の前縁と、前記ケース本体の転輪支持用の支脚を設けた角部とこれに対向する角部とを結ぶ対角線とが成す角度よりも小さくなるように、前記取っ手の位置を設定してあり、
前記ケース本体における矩形の中心が、側面視で前記取っ手の握り部の直下方と、前記接地点の直上との間に位置する基凖曳行姿勢で、歩行姿勢の曳行操作者が自然に垂らした手による握り位置と同程度の高さ位置に曳行姿勢の取っ手の握り部が位置するように、転輪の接地点から取っ手の握り部までの距離を設定可能に構成してある転輪付き鞄。
【発明の詳細な説明】
【技術分野】
【０００１】  本発明は、荷重を支持する転輪と曳行用の取っ手とを備えた旅行鞄やビジネス用の鞄など、箱状のケースを、傾けて引きながら運搬するための転輪付き鞄の改良に関する。
【背景技術】
【０００２】  一般に転動用の転輪を備えた転輪付き鞄としては、大別して、矩形箱状のケースを自立させた状態で引っ張る、もしくは押して移動させる型式の比較的大型のものと、矩形箱状のケースを取っ手で傾倒させた姿勢を保って移動させる型式の比較的小型のものとがある。以下、本明細書では、使用者が引きまたは押し操作によってケースを移動させる運搬動作を「曳行」と称する。
上述の自立させた状態で移動させる型式のものでは、ケースを自立させるために比較的大きな底面を有し、その底面に４個のキャスター車輪を装備して自由な方向に移動させられるようにしているので、矩形箱状のケースを曳行する操作者にケース重量が作用せず、スーツケースなどの大型の重いケースを運搬するのには適している。しかしながら、引き紐での引き操作では曳行方向が安定せず、後からの押しでは移動方向を安定させるために両手で方向を規制しながら押さなければならず、また重心も高いので転倒し易く、急いで歩きたい場合には移動させ難いという問題がある。
これとは別に、ケースを取っ手で前傾させた姿勢を保って搬送する型式のものでは、ケースを傾倒姿勢とすることで取っ手にある程度のケース重量が作用することになるが、取っ手を介して傾斜姿勢のケース自体を支持していることにより、曳行姿勢や曳行方向は安定し、比較的急ぎ足でも曳行し易く、小型および中型のケースの曳行に適している。本発明は、この傾倒させた姿勢を保って搬送する型式の転輪付き鞄の改良に関する。【０００３】  この種の転輪付き鞄としては、下記［１］〜［３］に記載のものが従来より知られている。
［１］矩形箱状のケースを、その厚みが薄い方向、すなわち最も辺の長さが短い方向を前後方向に沿わせ、縦横の辺の長さが長い広幅の面を前後に位置させた姿勢で曳行するのが一般的であり、曳行用の取っ手は、広幅の前面に沿って上下方向に設けられている。また、転輪も、矩形箱状のケースの辺長さの長い方向である広幅の前面を曳行方向に向けて曳行し易いように、矩形箱状のケースの前面に対して交差する前後方向に転動するように配設されていた（例えば、特許文献１参照）。
［２］ただし、曳行用の取っ手や転輪が、必ずしも矩形箱状のケースの辺長さの長い方向である広幅の前面を曳行方向に向けるように配置されているとは限らず、ごく少数ではあるが矩形箱状のケースの辺長さの長い方向である広幅の面が横に向く状態で曳行されるように、矩形箱状のケースの辺長さの短い方向に対して交差する方向に配置されたものもある（例えば図１６参照）。
［３］また、一部の旅行鞄では、底面の４隅近くに転輪を備え、そのうちケースを傾倒させた姿勢で曳行する際に用いる取っ手が設けられた前向き面とは反対側の後向き面に近い側の底面に設けられる転輪を、ケースの厚みが薄い方向に沿う方向の固定車軸を有した固定輪とし、残りの３輪をキャスター輪として、取っ手を引きながら傾けて曳行する使用状態と、鞄を自立させたままの姿勢で押して歩くことができる使用状態との両状態を選択して用ることができるようにしたものもあるが、この場合にも、取っ手は広幅の前向き面に沿って上下方向に配設されている（例えば、特許文献２参照）。【０００４】
【特許文献１】          特開平９−１３５７１７号公報（段落番号００２７−００２９、図１、図２）
【特許文献２】          特開平９−２９９１２３号公報（段落番号００１０−００１７、図３、図４）
【発明の開示】
【発明が解決しようとする課題】
【０００５】  前述した一般的な転輪付き鞄についてみると次のような問題がある。
まず、前記［１］に記載したように、矩形箱状のケースを、その厚みが薄い方向、すなわち最も辺の長さが短い方向を前後方向に沿わせて曳行するように、曳行用の取っ手を、縦横の辺の長さが長い広幅の前面に沿って上下方向に設け、また転輪も、矩形箱状のケースの辺長さの長い方向である広幅の前面に対して交差する前後方向に転動するように配設されている構造のものでは次のような問題がある。
すなわち、このような転輪付き鞄を使用する際には、使用者が身体の後に手を回して取っ手を引っ張りながら曳行しているのであるが、このような使用形態では、矩形箱状のケースの辺長さの長い方向である広幅の面が前に向き横方向に幅広くなり、これが曳行する使用者から後方に離れて位置するので、前後方向でも左右方向でも専有面積が広くなって、人混みの中では他の通行者や他物に衝突し易く、通行の弊害となることがある。
また、このような転輪付き鞄を使用する際の使用者の歩行形態を見ると、図１７に示すようになる。この図１７は、一例として身長Ｈｔが１７５ｃｍで、起立姿勢時の地面から握り手までの高さＨｈが７５ｃｍ、歩幅Ｗｆが６７．５ｃｍ、転輪の接地点から取っ手の握り部までの距離Ｌが１００ｃｍとした場合の曳行状態を示したものであり、状態（ａ）から状態（ｃ）は、左足を前に出す動作であり、状態（ｄ）から状態（ｆ）が、引き続いて右足を前に出す動作を示している。
このとき、状態（ｃ）で後方の右足の踵が、また状態（ｆ）では後方の左足の踵が曳行するケース本体に接触して、大きな歩幅では歩きにくいことがある。これを避けるには、転輪の接地点から握り部までの距離Ｌを、状態（ｃ）に仮想線で示したようにもっと長くすれば良いが、そうすれば前述の専有面積がさらに増大するとともに、転輪の接地点から握り部までの距離Ｌをさらに長くするために、テレスコープ構造などで伸縮自在に構成される取っ手のテレスコープ段数が増すなどの構造の複雑化や重量増加を招く不具合がある。【０００６】  前記［２］に記載したように、曳行用の取っ手３や転輪２が、矩形箱状のケース本体１の辺長さの長い方向である広幅の面が横に向く状態で曳行されるように、矩形箱状のケース本体１の辺長さの短い方向に対して交差する方向に配置されたものもある。この構造では、図１６に示すように、矩形箱状のケース本体１の辺長さの短い方向の辺を含む面、すなわち矩形箱状ケースの幅広な面ではない厚み方向の面に沿って長尺の取っ手３が配設され、この取っ手３の上端部に握り部３２が設けられているとともに、取っ手３の延長線上の下端部に転輪２が配置されている。したがって、取っ手３を傾けた曳行姿勢では、前傾した取っ手３の上側にケース本体１が辺長さの短い方向の辺を有した面を沿わせて乗った状態となり、ケース本体１の厚み方向である左右横幅方向での寸法は比較的小さくなるので、平面的にみれば取っ手３を曳行者の横側方に位置させた状態で曳行しても左右方向の幅が大きくなることを避けられる。
しかしながら、この構造のケースを用いて上記のように取っ手３を曳行者の横側方に位置させた状態で曳行した場合、矩形箱状ケースの重心Ｇが転輪２の接地点Ｏの直上に位置する安定姿勢では、曳航者が自然に垂らした手の位置と接地点との間の距離は、曳航者が身体の後ろに手を回して曳航する前記［１］に記載の構造のものと大差のないものであるため、前後長さも大差のないものとなり、前後方向での占有面積を削減できるものではない。
この構造のケースを前後方向でも曳行者に近づけて前後方向の占有面積が少ない状態で曳行しようとすると、図１６に二点鎖線で示すように、取っ手３をかなり起立させた急角度で曳行する姿勢となるが、このように起立させると矩形箱状のケース本体１の重心Ｇが転輪２の接地点Ｏよりも後方側に大きく移行した状態となる。このような曳行姿勢では、取っ手３でケース本体１の後方側への転倒を防ぐように押さえながら前方へ引くのであるが、転輪２の接地点Ｏが重心よりも前方であるため、後方から押しているのと同様に操舵し難く、曳行操作そのものが行い難くなる不都合がある。このような理由から明らかなように、この構造では、左右方向での占有面積を削減できるように工夫されているが、前後方向ではその占有面積を削減できるように起立させて用いようとするものではない。【０００７】  また、この構造のものでは、転輪２の接地点Ｏと取っ手３の握り部３２とを結ぶ線分ｙ１に対して、ケース本体部分の重心Ｇがかなり離れて位置している。このため、曳行に伴って重心Ｇが左右に揺れると、前記線分ｙ１からの離間距離Ｌ３にケース内荷物を含めての重量を乗じた回転モーメントが作用し、路面上の僅かな凹凸部分に乗り上げても、前記線分ｙ１周りに回転して転倒し易くなるもので、建物内など、ほぼ完全に平坦な路面でないと扱い難いという問題がある。
このような回転モーメントによる転倒を生じ難くするには、前記取っ手３から離れる方向の距離を短くして重心Ｇを取っ手３に近づけるようにすればよいが、これでは、ケース内容量が縮減されることになるので、ケース本来の機能が損なわれてしまう。【０００８】  前記［３］に記載したように、ケースの厚みが薄い方向に沿う方向の固定車軸を有した固定輪と、残り３個のキャスター輪とを備えて、取っ手を引きながら傾けて曳行する使用状態と、鞄を自立させたままの姿勢で押して歩くことができる使用状態との両状態を選択して用ることができるようにしたものでは、前記傾けた曳行姿勢では、ケースの広幅の面の向きと曳行方向は前記［１］で説明したものと同じであるから、同じ問題点を抱えており、また、自立させたままの姿勢で押す場合には、本発明の対象としていない大型の自立式のケースと同じように、自立姿勢であるが故に重心が高く、不安定で、凹凸のない平坦地でないと運搬しにくく、急ぎ足での操作を行い難いという問題がある。【０００９】  尚、この特許文献２には、その特許文献２の発明に対する従来技術として、公報図面の図１０に記載されているように、側面視で矩形状の比較的大型のスーツケースにおいて、転輪を設けた隅角部と対角線方向で相対向する箇所の隅角部の近くに、持ち上げ用の取っ手（引き手ハンドル）を設けた構造のものも開示されている。
このスーツケースは、図中実線で記載されているように、４輪を接地させた自立姿勢でスーツケースを移動させる状態と、点線で記載されているようにキャスター車輪側を浮かせた斜め姿勢で曳行する状態とで用いられるものであるが、４輪を接地させた自立姿勢でスーツケースを移動させる際にはケース全体を両手で押して移動させ、図中点線で記載されているようにキャスター車輪側を浮かせた斜め姿勢で曳航する際に取っ手で前側を引き上げて用いるものである。
しかしながら、このキャスター車輪側を浮かせた曳行姿勢では、スーツケースの重量が取っ手側にかなり大きく作用する傾向があり、これを軽減するためにスーツケース自体の傾斜をより急角度に（立ち上がり方向に）角度変更すると、取っ手の位置が高くなりすぎてしまう。つまり、ケース前側を浮かせるように引き上げる操作では、前述のようにケース重量が取っ手に大きく作用するという問題があり、ケースの傾斜を急角度にして重量を軽減しようとすると、高い取っ手位置で持ち上げながら曳行するという、きわめて不自然な操作を余儀なくされる不具合がある。
このように、このスーツケースに設けられている前記取っ手は、登りや下りの坂道で後ろからの押しでは移動させにくい場合や、段差部や溝などの障害物を越えるときに一時的に持ち上げるために役立つ程度のものであり、長い距離の曳行には不向きなものである。【００１０】  本発明は、荷重を支持する転輪と曳行用の取っ手とを備えた旅行鞄やビジネス用の鞄など、ケースを自立させてではなく、傾けて引っぱりながら運搬する型式の転輪付き鞄において、転輪付き鞄を身体の横側部に位置させて曳行者を含めての前後左右の占有面積を少なくした状態で、かつ、軽快に曳行できるようにすることを目的とする。
【課題を解決するための手段】
【００１１】〔解決手段１〕
上記目的を達成するための解決手段の１つは、ケース本体に曳行用の取っ手と転輪とを備えた転輪付き鞄において、前記ケース本体が前傾姿勢でその水平方向断面での長径方向が前後方向に沿う姿勢で曳行されるように、前記転輪を、転動方向がケース本体の長径方向に交差する方向の横軸芯まわりで回動するように設定して前記ケース本体の底部側の前部に設け、前記取っ手の位置を、曳行されるケース本体に対する側面視で、前記転輪の接地点と取っ手の握り部とを結ぶ線分が、前記ケース本体の前傾姿勢の前縁と、前記転輪の接地点とケース本体の重心相当箇所とを結ぶ線分とで構成される角度範囲内で、前記接地点と重心相当箇所とを結ぶ線分寄りに位置するように設定するとともに、この取っ手を、ケース本体に対して上下方向、および左右方向での操作力を付与して舵取り操作可能な硬質材で構成し、前記ケース本体における重心相当箇所が転輪の接地点を通る鉛直線上に位置する基準曳行姿勢で、歩行姿勢の曳行操作者が自然に垂らした手による握り位置と同程度の高さ位置に、曳行姿勢の取っ手の握り部が位置するように、転輪の接地点から取っ手の握り部までの距離を設定可能に構成してある点にある。【００１２】〔解決手段２〕
上記目的を達成するための第２の解決手段は、縦辺の長さと横辺の長さが奥行き辺の長さよりも長い矩形箱状のケース本体に曳行用の取っ手と転輪とを備えた転輪付き鞄において、前記ケース本体に対する曳行方向と転輪の転動方向が、ケース本体の移動方向を前記奥行き辺と交差する方向へ向けるように、前記ケース本体の下部で縦辺と横辺とが交差する角部箇所に転輪を備えるとともに、前記角部に対する対角位置の角部近くに、ケース本体に対して上下方向、および左右方向での操作力を付与して舵取り操作可能な硬質材で構成されている前記取っ手の取付部を設け、前記転輪の接地点と前記取っ手の握り部とを結ぶ線分と、ケース本体の縦辺と横辺とによる矩形の中心と前記接地点とを結ぶ線分とで成す角度が、曳行時に前傾姿勢となるケース本体の前縁と、前記ケース本体の転輪を設けた角部とこれに対向する角部とを結ぶ対角線とが成す角度よりも小さくなるように、前記取っ手の位置を設定してあり、前記ケース本体における矩形の中心が転輪の接地点を通る鉛直線上に位置する基準曳行姿勢で、歩行姿勢の曳行操作者が自然に垂らした手による握り位置と同程度の高さ位置に曳行姿勢の取っ手の握り部が位置するように、転輪の接地点から取っ手の握り部までの距離を設定可能に構成してある点にある。【００１３】〔解決手段３〕
上記目的を達成するための第３の解決手段としては、前記解決手段１または２の転輪付き鞄において、取っ手の握り部を、ケース本体の奥行き方向で曳行操作者に近い側の端部から前記握り部までの距離が、歩行姿勢の曳行操作者が自然に垂らした手による握り位置と曳行操作者の身体側部との間の左右方向距離と同程度以下に設定するとよい。【００１４】〔解決手段４〕
上記目的を達成するための第４の解決手段は、縦辺の長さと横辺の長さが奥行き辺の長さよりも長い矩形箱状のケース本体に手提げ用の提げ手と曳行用の取っ手と転輪とを備えた転輪付き鞄において、前記ケース本体に対する曳行方向と転輪の転動方向が、ケース本体の移動方向を前記奥行き辺と交差する方向へ向けるように、前記ケース本体の下部で縦辺と横辺とが交差する角部の近くから下方に延出された起立姿勢と、その起立姿勢位置よりもケース本体側に引退させた格納姿勢とに姿勢切り換え可能な支脚に転輪を備えるとともに、前記角部に対する対角位置の角部近くに、ケース本体に対して上下方向、および左右方向での操作力を付与して舵取り操作可能な硬質材で構成されている前記取っ手の取付部を設け、前記転輪の接地点と前記取っ手の握り部とを結ぶ線分と、ケース本体の縦辺と横辺とによる矩形の中心と前記接地点とを結ぶ線分とで成す角度が、曳行時に前傾姿勢となるケース本体の前縁と、前記ケース本体の転輪支持用の支脚を設けた角部とこれに対向する角部とを結ぶ対角線とが成す角度よりも小さくなるように、前記取っ手の位置を設定してあり、前記ケース本体における矩形の中心が、側面視で前記取っ手の握り部の直下方と、前記接地点の直上との間に位置する基準曳行姿勢で、歩行姿勢の曳行操作者が自然に垂らした手による握り位置と同程度の高さ位置に曳行姿勢の取っ手の握り部が位置するように、転輪の接地点から取っ手の握り部までの距離を設定可能に構成してある点にある。
【発明の効果】
【００１５】〔解決手段１にかかる発明の作用効果〕
このような構成を採用したことによる作用効果は次のとおりである。
〔１−１〕
ケース本体の曳行方向を、水平方向断面での長径方向が前後方向に沿う姿勢で曳行されるようにするにあたり、解決手段１に示す構成を採用したことによって、下記の３つの条件〔１−１ａ，１−１ｂ，１−１ｃ〕のすべてを満たすことができ、これによって初めて、ケースを曳行者の横脇に位置させて前後左右の占有面積少なく軽快に曳行することができるのである。
このとき、曳行姿勢のケース本体の重心は接地点の直上近くにあって前後バランスが良好に保たれ、取っ手部分にはケース本体の重量がほとんど掛からず、また、曳行者は引き手を身体の後ろ側に回して引いたり、取っ手部分を持ち上げながら引くような不自然な状態で曳行する必要はなく、自然に垂らした状態に近い姿勢で曳行することができる。よって、操作性良く軽快に曳行し易い転輪付き鞄を得られたものである。
〔１−１ａ〕
ケース本体の長径方向と、その長径方向に対する転輪の配設位置および転動方向と、取っ手の取付位置とを、曳行方向と関連付けて設定する第１の条件。
〔１−１ｂ〕
取っ手自体を、ケース本体に対して上下方向、および左右方向での操作力を付与して舵取り操作を行えるように硬質材で構成するという、取っ手自体の機能に関する第２の条件。
〔１−１ｃ〕
転輪の接地点から取っ手の握り部までの距離を、ケース本体における重心相当箇所が転輪の接地点を通る鉛直線上に位置する基準の曳行姿勢で、歩行姿勢の曳行操作者が自然に垂らした手による握り位置と同程度の高さ位置に曳行姿勢の取っ手の握り部が位置するように設定可能に構成するという、ケース本体における重心相当箇所を考慮した基準の曳行姿勢と操縦者の握り手の高さとの位置関係に関する第３の条件。【００１６】〔１−２〕
曳行されるケース本体に対する側面視で、転輪の接地点と取っ手の握り部とを結ぶ線分が、ケース本体の前傾姿勢の前縁と、前記転輪の接地点とケース本体の重心相当箇所とを結ぶ線分とで構成される角度範囲内で、前記接地点と重心相当箇所とを結ぶ線分寄りに位置するように、前記取っ手の位置を設定したことにより、ケース本体の重心が転輪の接地点と前記取っ手の握り部とを結ぶ線分の近くに位置することとなる。したがって、ケース本体の重量が前記線分周りでの回転モーメントとして作用するような事態を招き難く、また仮に作用してもその力は大きなものではなく、曳行中に横倒れするような不具合を生じる可能性が少なくなる。【００１７】〔１−３〕
ケース本体を曳行者の横脇に位置させた状態とすることで、曳行時の転輪の接地点から取っ手の握り部までの所要距離を、従来のように後ろ手で引っ張るように曳行するものに比べて短くすることができ、転輪付き鞄の小型軽量化を図り得る利点がある。
すなわち、接地点からその接地点に対向する部位までのケース本体の長さを、取っ手の一部に兼用できるので、その分、取っ手自体の所要長さを短くでき、また、取っ手を伸縮可能なテレスコープ構造とする場合には、そのテレスコープ段数を少なくし易く、この点で小型軽量化を図ることができる。【００１８】〔解決手段２にかかる発明の作用効果〕
第２の解決手段を採用したことによる作用効果は次のとおりである。
〔２−１〕
縦辺の長さと横辺の長さが奥行き辺の長さよりも長い矩形箱状のケース本体の曳行方向を、前記奥行き辺と交差する方向へ向けるにあたり、解決手段１に示す構成を採用したことによって、下記の３つの条件〔２−１ａ，２−１ｂ，２−１ｃ〕のすべてを満たすことができ、これによって初めて、ケースを曳行者の横脇に位置させて専有面積少なく軽快に曳行することができるのである。
このとき、曳行姿勢のケース本体の重心は接地点の直上近くにあって前後バランスが良好に保たれ、取っ手部分にはケース本体の重量がほとんど掛からず、また、曳行者は引き手を身体の後ろ側に回して引いたり、取っ手部分を持ち上げながら引くような不自然な状態で曳行する必要はなく、自然に垂らした状態に近い姿勢で曳行することができる。よって、操作性良く軽快に曳行し易い転輪付き鞄を得られたものである。
〔２−１ａ〕
縦辺の長さと横辺の長さが奥行き辺の長さよりも長い矩形箱状のケース本体の曳行方向と、その曳行方向に交差する奥行き辺に対する転輪の配設位置および転動方向と、取っ手の取付位置とを、曳行方向と関連付けて設定する第１の条件。
〔２−１ｂ〕
取っ手自体を、ケース本体に対して上下方向、および左右方向での操作力を付与して舵取り操作を行えるように硬質材で構成するという、取っ手自体の機能に関する第２の条件。
〔２−１ｃ〕
転輪の接地点から取っ手の握り部までの距離を、ケース本体における矩形の中心が転輪の接地点を通る鉛直線の近くに位置する曳行姿勢で、歩行姿勢の曳行操作者が自然に垂らした手による握り位置と同程度の高さ位置に曳行姿勢の取っ手の握り部が位置するように設定可能に構成するという、ケース本体における重心相当箇所を考慮した基準の曳行姿勢と操縦者の握り手の高さとの位置関係に関する第３の条件。
〔２−２〕
転輪の接地点と取っ手の握り部とを結ぶ線分と、ケース本体の縦辺と横辺とによる矩形の中心と前記接地点とを結ぶ線分とで成す角度が、前記ケース本体の転輪を設けた角部とこれに対向する角部とを結ぶ対角線と、この対角線に交差するケース本体の一辺とが成す角度よりも小さくなるように、前記取っ手の位置を設定したことにより、転輪の接地点と前記取っ手の握り部とを結ぶ線分が、ケース本体の重心に相当するケース本体の縦辺と横辺とによる矩形の中心と前記接地点とを結ぶ線分の近くに位置することになる。したがって、ケース本体の重量が前記線分周りでの回転モーメントとして作用し難く、また作用してもその力は大きなものではなく、曳行中に横倒れするような不具合を生じる可能性が少なくなる。
〔２−３〕
ケース本体を曳行者の横脇に位置させた状態とすることで、曳行時の転輪の接地点から取っ手の握り部までの所要距離を、従来のように後ろ手で引っ張るように曳行するものに比べて短くすることができ、転輪付き鞄の小型軽量化を図り得る利点がある。
しかも、矩形箱状のケース本体では、転輪を配設した角部から対角位置の角部までのケース本体の寸法を、転輪の接地点から取っ手の握り部までの距離の一部に活用できるので、つまり、ケース本体自身にも取っ手の一部としての役割を持たせて、取っ手自体の長さをそれだけ短縮することができる点でも有利である。【００１９】〔解決手段３にかかる発明の作用効果〕
〔３〕
解決手段３によると、解決手段１及び２にかかる発明と同様な作用効果に加えて、次の効果を奏する。
すなわち、第３の解決手段によると、取っ手の握り部が、ケース本体の奥行き方向での中央位置よりも、取っ手部分を把持する曳行操作者に近い側に偏倚した位置で曳行方向に沿って設けられているので、ケースを横脇に位置させて曳行するものでありながら、ケースに対する引き操作を楽に与えやすい。したがって、例えば、取っ手の握り部を、幅広のケース本体の奥行き方向での中央位置や、曳行操作者から離れた側に設けた場合のように、腕を身体から離れる側へ張り出した状態で曳行する必要がなく、引き腕を自然に垂下させた状態で身体から横側方へあまり離さずに曳行することができ、楽な姿勢での曳行が可能となる利点がある。【００２０】〔解決手段４にかかる発明の作用効果〕
〔４〕
解決手段４によると、解決手段１，２にかかる発明と同様な作用効果に加えて、次の効果を奏する。
すなわち、基本的には提げ手を用いて吊り持ち状態に支持していた小型の鞄を、転輪付きの支脚を用いて下方から支えるように補助するので、通常の手提げ状態と同様な感覚で楽に支持することができる。
このような小型の転輪付き鞄であるが故に、混雑した場所でも邪魔にならないように移動することが望まれるが、身体の側部で普通の手提げ鞄を支持するのと大差のない状態で保持できることから他物との接触を避け易く便利に用いることができる。
また、支脚が存在していることで、ケース本体を高い位置に保持することができ、雨の日に傘で歩くときなどにケース本体が濡れにくい点でも有利である。
【発明を実施するための最良の形態】
【００２１】  本発明の実施の形態を添付図面に基づいて説明する。
〔全体の構造〕
本発明の転輪付き鞄は、矩形箱状のケース本体１と、ケース本体１の下部に設けた転輪２と、ケース本体１の上部側でケース本体を曳行するための取っ手３とで構成されている。
ケース本体１は、図１〜図３示すように、縦辺ａと横辺ｂとで構成される矩形の横側面１Ａに対して、前記縦辺ａ及び横辺ｂよりも短い奥行き辺ｃを備えて、矩形箱状に構成されている。【００２２】〔ケース本体〕
ケース本体１は、合成樹脂材で構成され、開口箱形の本体部１０と、同じく開口箱形の蓋体部１１とで、両者の開口縁同士をファスナー１２で開閉自在に連結されている。この開口縁同士の合わせ面で構成される開口面は、ケース本体１の曳行方向に沿う方向、すなわち、転輪２の回転面に沿う方向であり、図３（イ）（ロ）に示すように、左右一対の転輪２の外側に位置している。
このケース本体１の一例を実寸で示すと、縦辺ａの長さＬａは、４４ｃｍ、横辺ｂの長さＬｂは３２ｃｍ、奥行き辺ｃの長さＬｃは２２ｃｍに構成されている。
この実施形態のケース本体１で、図１〜図３に示すように左側面の転輪２設置箇所近くの角部を、部分的にケース中心側へ凹入させた形状としているのは、ファスナーｌ２の位置を地面から遠ざけて操作し易くすることと、転輪２の支持箇所近くでケース本体１の強度を上げるように図示しない補強板等を設け易くするためである。【００２３】〔組み合わせ構造〕
前記転輪２が設けられたケース本体１の下部に対して対角線方向で対向する上部側には、伸縮調節自在な取っ手３が設けられている。図２のようにケース本体１の重心Ｇが接地点Ｏの鉛直線ｙ上に位置する状態で、転輪２の接地点Ｏから取っ手３が設けられているケース本体１の対角位置のコーナーまでの高さＨ１が約５５ｃｍであるから、取っ手３の引き出し長さＬ１を３０ｃｍとすれば、地面から最大伸長時の取っ手３上端までの高さＨ２は、約８０ｃｍとなる。
尚、この取っ手３の引き出し長さＬ１は、使用者の身長等に応じて適宜設定すればよい。因みに上述のように引き出し長さＬ１が３０ｃｍ程度で、地面から上端までの高さＨ２が約８０ｃｍとなる場合であれば、伸長１８０ｃｍ程度の使用者が用いるのに好適である。
参考までに、地面から取っ手３上端までの高さＨ２が約８０ｃｍである場合に、従来の構造の転輪付き鞄における取っ手３の引き出し長さＬ１を図２中に仮想線で示す。このように、従来の構造であれば、上端までの高さＨ２を約８０ｃｍにするには、取っ手３の引き出し長さＬ１は約５５ｃｍと、ケース本体１の縦辺ａの長さを越えてしまうため、取っ手３の所要長さを確保するために、取っ手３の伸縮構造を、二段または三段のテレスコープ構造にしなければならず、その伸縮構造の複雑化、及び重量増加を免れない。【００２４】  上記のように、ケース本体１の重心Ｇが転輪２の接地点Ｏの直上に位置する姿勢での曳行姿勢が基準の曳行姿勢であり、このとき、曳行する使用者が自然に垂らしたで取っ手３を握るときの高さ位置Ｈｈが、前記取っ手３の握り部３２の中央箇所Ｍとなるように取っ手３の引き出し長さＬ１を調整すればよい。
このときの前記転輪２の接地点Ｏと前記取っ手３の握り部３２の中央箇所Ｍとを結ぶ線分ｙ１と、ケース本体１の縦辺ａと横辺ｂとによる矩形の中心（重心Ｇ相当部分）と前記接地点Ｏとを結ぶ線分ｙ２とで成す角度θ１が、前記ケース本体１の転輪２を設けた角部とこれに対向する角部とを結ぶ対角線ｙ３と、この対角線ｙ３に交差するケース本体１の前縁（縦辺ａ）とが成す角度θ２よりも小さくなるように、前記取っ手３の側面視での位置を設定してある。
重心Ｇの位置は、現実の使用状態では内容物の詰め方などで変化し、必ずしも矩形の中心とは一致しない場合があるが、これを考慮するとケース本体１としてはその重心Ｇの位置が特定できないので、便宜上、ケース本体１の側面視における矩形の中心を重心相当位置として考える。また、ケース本体１の側面視形状が矩形でない場合には、その図形の中心を重心相当位置として考えればよい。
尚、基準の曳行姿勢として、ケース本体１の重心Ｇが転輪２の接地点Ｏの直上に位置する姿勢を例示したが、実際の曳行時に移動している状態では、ケース本体１の重心Ｇが転輪２の接地点Ｏよりもやや前方に位置する傾向がある。このときのケース本体１の縦辺ａと横辺ｂとによる矩形の中心（重心相当部分）と前記接地点Ｏとを結ぶ線分ｙ２が、接地点Ｏを通る鉛直線ｙに対して傾斜する角度は、曳行中絶えず変化しているので正確には測定し難いが、平均的な角度は、約０度〜１０度前後、好ましくは３〜５度程度前傾している場合が多い。【００２５】  また、図４（ロ）に示すように、曳行者を正面にみる方向では、取っ手３の握り部３２は、ケース本体１の奥行き方向で曳行操作者に近い側の端部から前記握り部３２までの距離Ｌ２が、歩行姿勢の曳行操作者が自然に垂らした手による握り位置と曳行操作者の身体側部との間隔（握りこぶし１個分程度）と同程度以下となるように設定されている。
具体的なこの間隔寸法としては、かなりの個人差もあるが、要は、曳行者が無理なく吊り下げ状態で曳行できるに適した寸法であれば良く、平均的な成人男性では、約７〜８ｃｍ程度である。握り位置と曳行操作者の身体側部との間隔がこれ以下となるように前記寸法を設定しておけば、吊り下げ状態での曳行が楽に行い易い。この間隔が１０ｃｍ以上くらいになると、同図中に二点鎖線で示すように僅かではあるが腕を外側へ張り出して支持する状態となり、多少腕を引き上げぎみにして曳行する必要があるので、腕の疲れが生じ易い。
したがって、取っ手３の握り部３２の位置は、ケース本体１の奥行き方向で曳行操作者に近い側の端部から前記握り部３２までの距離Ｌ２は、前述のように、自然に垂らした手による握り位置と曳行操作者の身体側部との間隔と同程度以下となるように設定されるのが望ましい。【００２６】〔取っ手の構造〕
取っ手３は、図２及び図５に示すように、ケース本体１に内蔵されている保持筒部３０と、この保持筒部３０に対して挿抜自在に嵌挿された引き手杆３１とから構成されている。
保持筒部３０の引き出し側端部には、係合孔３４が形成され、引き手杆３１の挿入奥側端部には、挿抜方向に対して直交する方向に相対移動可能な係合片３３が設けられている。この係合片３３は押圧バネ板３５によって常に係合孔３４に対して係合方向に付勢されているが、係合片３３の突出側の端部が円柱状の湾曲面に形成されているので、押し方向もしくは引き方向に強く操作すると、係合片３３がバネ板３５の付勢力に抗して係合孔３４から外れ、伸縮操作することができる。
この構造では、引き手杆３１の長さを略３０ｃｍに設定しておくことで、単一の引き手杆３１で取っ手３を構成することができるが、ケース本体１の大きさや、引き出し長さＬ１の設定条件によっては、多段の引き手杆３１を用いたテレスコープ構造に構成してもよい。【００２７】  上記構造の引き手杆３１自体は、右ガイド杆部分３１ａと左ガイド杆部分３１ｂとを上端側で連結する状態の連結杆部分３１ｃとで、略門形の形状に構成されているが、この構造に限らず、例えば、図７に示すように、左右のガイド杆部分３１ａ，３１ｂを夫々独立で引き出し可能に構成してもよい。【００２８】  また、図８に示すように、取っ手３は単一の棒状に構成されたものであってもよい。この場合、ケース本体１が奥行き辺ｃの長さが短い小型のもの（たとえば１５ｃｍ以下程度）であれば、奥行き辺ｃの中央付近に一本の取っ手３を設ければよいが、ケース本体１の奥行き辺ｃの長さが大きいものであれば、図９に示すように、取っ手３を、単一の引き手杆３１と、左右に位置をずらした二つの保持筒部３０とで構成し、曳行し易い方向の保持筒部３０を選択して差し替えるようにしてもよい。【００２９】  さらに、取っ手３の構造としては、上述のような引き出し式の構造に限らず、例えば図６に示すように、横支軸３７，３８周りで揺動自在な起伏操作杆３６を備えて、この起伏操作杆３６を、ケース本体１の外面に沿う格納姿勢と、外面から離れる方向に引き起こされた曳行姿勢とに姿勢切り換え可能な構造としてもよい。
この起伏操作杆３６は、前後２箇所の横支軸３７，３８を備え、前方の横支軸３７がケース本体１の上部角部に備えられた取り付けブラケット３９の外周部に形成した凹入溝４０に嵌入し、後方の横支軸３８が取り付けブラケット３９の中央箇所に形成したガイド孔４１を貫通している。
起伏操作杆３６が図中実線で示す格納姿勢にあるとき、前の横支軸３７は凹入溝４０の下端部にあり、後ろの横支軸３８はガイド孔４１の上端部に位置して、この状態が維持されるようにガイド孔４１内に装備された板バネ４２により後ろ横支軸３８が上部側へ付勢されている。起伏操作杆３６を図中二点鎖線で示す曳行姿勢に引き起こすと、後ろ横支軸３８が板バネ４２の付勢力に抗して下方側へ移動し、前の横支軸３７は凹入溝４０の上端部に移動し、この状態が後ろの横支軸３８をバネ板４２の付勢力によってガイド孔４１の下端部に付勢することによって維持するように構成されている。【００３０】  起伏揺動杆３６の姿勢変更構造は、上記のような構造に関わらず任意の構造を採択することができる。また、曳行姿勢における起伏角度を多段、もしくは無段に調節可能に構成することで、握り部３２の高さ調節を行えるように構成してもよい。【００３１】〔転輪の構造〕
前記図２及び３に示す転輪２は、ケース本体１の左右両側箇所で、回転軸芯ｘを共通にする状態で配設された左右一対の横支軸周りに転動自在に構成されたものである。
このようにケース本体１の一角部に転輪２を備えて曳行する型式のものでは、回転軸芯ｘがケース本体１の固定位置に設けられた構造の転輪２で全く問題ないが、この転輪２に代えてキャスター車輪を採用しても差し支えない。ただし、キャスター車輪を用いる場合は、そのキャスターの上下向きの回転軸心が鉛直方向であると曳行方向が定まりにくいので、少し前傾の上下軸芯まわりでキャスター車輪が向き変更するように構成するとよい。【００３２】〔他の実施形態１〕
図１０はビジネス用の中型のケースを示す。このケースは縦辺ａの長さＬａが約５２ｃｍ、横辺ｂの長さＬｂが約３０ｃｍ、奥行き辺ｃの長さＬｃが約２５ｃｍである。
このように縦辺ａの長さＬａが長いものであると、取っ手３の引き出し長さＬ１は逆に短くて済む。この実施形態のものでは、取っ手３を横辺ｂの長さＬｂよりも短い起伏揺動式もので構成している。したがって、伸縮式の取っ手３に比べて、ケース本体１の内部に保持筒部３０を設ける必要がない点で有利である。
この構造では、ケース本体１が、前述の実施形態のように本体部１Ａと蓋体部１Ｂとをファスナー１２で開閉する形式のものではなく、本体部１Ａを有低箱状で天井側が開放された形状とし、その開放された天井部に揺動開閉式の左右一対の蓋体部１Ｂを設けて構成されている。これは転輪や取っ手を備えていない通常のビジネス用の中型ケースで用いられている揺動開閉式の蓋体を備えた構造と同様のものであり、図１１中の転輪２の右側の上部に、前記蓋体部１Ｂが設けられている。同図中の符号４は、ケース本体１の全体を持ち上げて手提げ状態で運搬する際に用いる提げ手である。【００３３】〔他の実施形態２〕
図１１は、提げ手４を備えて手持ちするのが一般的な小型のビジネス用の鞄型ケースと同程度の寸法に形成された転輪付き鞄を示している。この実施形態では、ケース本体１の大きさは縦辺ａの長さＬａが約４４ｃｍ、横辺ｂの長さＬｂが約３２ｃｍ、奥行き辺ｃの長さＬｃが約１０ｃｍである。
このケース本体１の底面側には、スライド操作によって出退自在に構成された支脚５が装備され、支脚５の先端に転輪２が設けられている。転輪２が設けられた角部に対角線方向で対向する角部の近く位置に、横向き支点Ｐ周りで起伏揺動及び位置固定自在な取っ手３が設けられている。【００３４】  前記支脚５は、図１４に示すように、ケース本体１の底部に沿って設けられたガイド体５０と、そのガイド体５０に保持されて伸縮操作されるスライド杆５１とを備えて構成されている。ガイド体５０には、スライド杆５１を引き込んだ手提げ用格納姿勢と、スライド杆５１を下方へ突出させた曳行用突出姿勢とに姿勢変更して保持できるようにガイド溝５２が形成され、かつ、このガイド溝５２に、後述する操作突片５３を前記スライド杆５１の手提げ用格納姿勢と曳行用突出姿勢とのそれぞれで係合保持する係合溝５４が形成されている。
前記スライド杆５１には操作突片５３がスライド杆５１の出退方向に沿う揺動軸心ｘ１周りで揺動自在、かつ、係合溝５４への係合方向へ付勢して設けてあり、操作突片５３を起立させた姿勢でガイド溝５２内を移動させることによってスライド杆５１の姿勢を切り替えるようにしてある。
図１４中の係合溝５４は、スライド杆５１の出退方向で複数箇所に形成されており、曳行用突出姿勢を複数段に切り替え可能に構成されている。
前記スライド杆５１が手提げ用格納位置に位置しているとき、格納姿勢となる転輪２の、ケース本体１からの突出代を少なくできるように、ケース本体１の角部には、転輪２が入り込む凹入部１３が形成されている。【００３５】  このような支脚５を用いて曳行する構造のものにおいて、ケース本体１に対する取っ手３を設ける位置は、次のようにして決定するのが望ましい。
すなわち、取っ手３の握り部３２の中央箇所Ｍを持ってケース本体１を吊り下げたとき、そのケース本体１の重心Ｇが、前記握り部３２の中央箇所Ｍからの垂線ｙｍの下方に位置させるのが曳行時にケース本体１の姿勢を安定させ易く、これとともに、そのケース本体１の重心Ｇが転輪２の接地点Ｏを通る鉛直線ｙの直上にも位置しているのが、ケース本体１全体の重量支持を行う上で理想的であるが、必ずしも、この三点（接地点Ｏ、重心Ｇ、中心部Ｍ）が一直線上に並ぶとは限らない。
図１１示すものでは、かなり一直線に近い状態であるが、これでも接地点Ｏに対して重心Ｇと中央箇所Ｍの位置は多少前方に位置ずれしている。
そこで、基準の曳行姿勢としては、取っ手３の握り部３２の中央箇所Ｍを持ってケース本体１を吊り下げたとき、そのケース本体１の重心Ｇが、前記握り部３２の中央箇所Ｍからの垂線ｙｍの下方に位置する状態での曳行姿勢と、ケース本体１の重心Ｇが転輪２の接地点Ｏを通る鉛直線ｙの直上に位置している状態での曳行姿勢との間における中間の曳行姿勢を基準の曳行姿勢として考える。
もちろん、取っ手３の握り部３２の中央箇所Ｍを持ってケース本体１を吊り下げたときのケース本体１の重心Ｇが前記握り部３２の中央箇所Ｍからの垂線ｙｍの下方に位置する状態での曳行姿勢と、ケース本体１の重心Ｇが転輪２の接地点Ｏを通る鉛直線ｙの直上に位置している状態での曳行姿勢との間における姿勢変化の度合いはあまり大きくないように設定されるべきであり、ケース本体１の傾斜角度の変化でみると、前記転輪２の接地点Ｏと前記取っ手３の握り部の中央箇所Ｍとを結ぶ線分ｙ１と、ケース本体１の縦辺ａと横辺ｂとによる矩形の中心Ｇと前記接地点Ｏとを結ぶ線分ｙ２とで成す角度θ１と同程度以下であるのが望ましい。【００３６】  転輪２の接地点Ｏと、前記重心Ｇと、前記握り部３２の中央箇所Ｍとの関係では、前記重心Ｇが転輪２の接地点Ｏを通る鉛直線ｙに近いほど重量軽減の上では有利であり、あまり前後にずれると、その分重心Ｇ箇所の重さが作用して重くなる。また、前記重心Ｇと、前記取っ手３の握り部３２の中央箇所Ｍとの関係では、握り部３２の直下に重心Ｇが存在するのはケース本体１の姿勢を安定させる上で有利であるが、接地点Ｏからあまり大きくずれるとやはり負担重量割合が増して重くなる。
つまり、これらの三点がすべて鉛直線上に揃うのが重量バランス的には有利であるが、曳行に際しては、多少握り部が前にある方がふらつきを生じ難くて操作し易い。したがって、図１２に示すように接地点Ｏと重心Ｇとを結ぶ線分ｙ２が鉛直線ｙに対して少し（２〜１０度程度）前傾する程度が望ましい。ただし、曳行中はケース本体１が比較的大きく前後傾斜姿勢を変化させながら移動するので、上記の範囲を超えて変化することは当然あるが、平均的な傾斜角が前記の範囲に収まるように接地点Ｏの上方もしくはその近くに重心Ｇが位置する状態でその姿勢変化が生じるように考慮するのが望ましい。【００３７】〔他の実施形態４〕
図１３は、図１１，１２で示したケースと同様に、提げ手４を備えて手持ちするのが一般的な小型のビジネス用の鞄型ケースと同程度の寸法の転輪付き鞄で、同様な大きさものである。
この構造のものでは、支脚５の出退方向ががケース本体１の対角線方向に向けられている点、及び、曳行時における取っ手３の延出方向が後方に向けられている点で、前記図１１，１２に示した構造のものと相違している。
曳行時における取っ手３の延出方向が後方に向けられているのは、前方へ向けた場合のように、吊り下げ状態でケース本体１の重心Ｇが転輪の接地点Ｏよりも後方に位置して曳行し難くなることを避けるためである。この例では、握り部３２の中央箇所Ｍが重心Ｇ位置の鉛直線よりもやや後方に位置しているが、接地点Ｏよりは前方なので曳行時のフラツキはほとんど生じない。
この構造では、図１３（イ）及び（ロ）に示すように、ケース本体１の対角線方向で、ケース本体１の一側面に沿うように支脚５のガイド体５０が設けられ、これに支脚５のスライド杆５１が出退自在に構成されている。支脚５の位置変更および固定のための構造、及び取っ手３の構造は任意に構成すればよいが、一例を示せば、前記図１１，１２，１４に示した構造のものと同様のものでよい。【００３８】〔他の実施形態５〕
図１５（イ）及び（ロ）に示すように、ケース本体１の形状としては、矩形箱状のものに限らず、図１５（イ）に示すように水平断面形状が楕円形を有するもの、あるいは、図１５（ロ）に示すように水平断面がほぼ三角形状のものなど任意の形状のものであってもよく、要は長径方向が曳行方向を向くように転輪２の転動方向や取っ手３による曳行方向が定めてあればよい。【００３９】〔その他〕
［１］支脚５としては、伸縮式の構造のものに限らず、曳行時に下方に位置する角部近くを支点として起伏揺動する揺動式ものなどで構成してもよい。
［２］伸縮構造の支脚５において、スライド杆５１を収縮方向もしくは突出方向へ付勢するスプリングなどの付勢手段を設けて、係合溝５４に対する操作突片５３の解除によってスライド杆５１が自動的に収縮もしくは突出するように構成してもよい。
［３］手提げ用の提げ手４と取っ手３とは、別々に設けたものに限らず、互いに近接した位置に設けて、あるいは形状や大きさを変更するなどして兼用できるように構成してもよい。
【図面の簡単な説明】
【００４０】
【図１】転輪付き鞄の全体を示す斜視図
【図２】転輪付き鞄の全体を示す側面図
【図３】転輪付き鞄の全体を示し、（イ）が正面図、（ロ）が背面図である。
【図４】使用状態を示し、（イ）が側面図、（ロ）が正面図である。
【図５】伸縮式の取っ手部分の拡大断面図
【図６】揺動式の取っ手部分を示し、（イ）が側面図、（ロ）が断面図である。
【図７】取っ手部分の他の実施形態を示す斜視図
【図８】取っ手部分の他の実施形態を示す斜視図
【図９】取っ手部分の他の実施形態を示す背面図
【図１０】転輪付き鞄の他の実施形態を示し、（イ）が側面図、（ロ）が背面図である。
【図１１】転輪付き鞄の他の実施形態を示し、（イ）が正面図、（ロ）が側面図、（ハ）が背面図である。
【図１２】転輪付き鞄の他の実施形態を示し、（イ）が側面図、（ロ）が背面図である。
【図１３】転輪付き鞄の他の実施形態を示し、（イ）が側面図、（ロ）が背面図である。
【図１４】支脚部分の伸縮構造をし、（イ）が底面図、（ロ）がＩ−Ｉ線断面図である。
【図１５】ケース本体部分の形状についての別実施形態を示し、（イ），（ロ）とも概略断面図である。
【図１６】従来技術を示す概略側面図
【図１７】従来の曳行状態を示す説明図
【符号の説明】
【００４１】１      ケース本体
２      転輪
３      取っ手
４      提げ手
５      支脚
３２    握り部
ａ      縦辺
ｂ      横辺
ｃ      奥行き辺
Ｇ      重心
Ｏ      接地点
Ｈ２    地面から取っ手上端までの高さ
Ｍ      握り部の中央箇所
Ｌ      接地点から取っ手端部までの長さ
Ｌ１    取っ手の引き出し長さ
Ｌ２    ケース本体端部から取っ手中心までの左右方向距離
Ｌ３    接地点と握り部の中央箇所を結ぶ線分から重心までの垂直距離
ｙ      接地点を通る鉛直線
ｙ１    接地点と握り部の中央箇所を結ぶ線分
ｙ２    接地点と重心相当個所を結ぶ線分
ｙ３    対角線
【図１】
2005279236.tif 000003
【図２】
2005279236.tif 000004
【図３】
2005279236.tif 000005
【図４】
2005279236.tif 000006
【図５】
2005279236.tif 000007
【図６】
2005279236.tif 000008
【図７】
2005279236.tif 000009
【図８】
2005279236.tif 000010
【図９】
2005279236.tif 000011
【図１０】
2005279236.tif 000012
【図１１】
2005279236.tif 000013
【図１２】
2005279236.tif 000014
【図１３】
2005279236.tif 000015
【図１４】
2005279236.tif 000016
【図１５】
2005279236.tif 000017
【図１６】
2005279236.tif 000018
【図１７】
2005279236.tif 000019